(57)【要約】【課題】アナログ回路基板とディジタル回路基板との間に介設されたフレキシブルケーブルにおけるノイズの発生を防止する。【解決手段】筐体３０に内装された光源ユニット４１の単位ＬＥＤ４１２ａから原稿Ｐ１の原稿面に照射される光の反射光により原稿画像を光学的に読み取る光学系ユニット（画像読取装置）２０において、筐体３０には、レンズ５１２を介して集光された反射光が入光されることにより当該反射光を電気的なアナログ信号に変換するＣＣＤ５２１を備えたアナログ回路基板５２０と、アナログ信号をディジタル信号に変換する回路を備えたディジタル回路基板６０と、アナログ回路基板５２０とディジタル回路基板６０との間に介設された両者を電気的に接続するフレキシブルケーブル５９と、フレキシブルケーブル５９の他の部材に対する接触を防止する接触防止部材７０とが備えられている。【選択図】図６
2008092060.tif 000002
【特許請求の範囲】
【請求項１】
所定の筐体に内装された光源から原稿の原稿面に照射される光の反射光により原稿画像を光学的に読み取る画像読取装置であって、
前記筐体には、所定のレンズを介して集光された反射光が入光されることにより当該反射光を電気的なアナログ信号に変換するイメージセンサを備えたアナログ回路基板と、
前記アナログ信号をディジタル信号に変換する回路を備えたディジタル回路基板と、
前記アナログ回路基板と前記ディジタル回路基板との間に介設された両者を電気的に接続する電線と、
前記電線の他の部材に対する接触を防止する接触防止部材とが備えられていることを特徴とする画像読取装置。
【請求項２】
前記接触防止部材は、前記電線を支持した状態で当該電線の下部に配設された配設部材を跨ぐブリッジ部材と、
前記ブリッジ部材の頂部に形成された前記電線を外れ止めする、前記頂部に対し開閉可能な外れ止め部材と、
前記外れ止め部材から前記電線の延びる方向に沿うように互いに反対方向へ向けて突設された一対のウイングとを備えていることを特徴とする請求項１記載の画像読取装置。
【請求項３】
前記筐体には、前記光源を移動させることにより前記原稿面を走査する光源走行体と、
前記反射光を反射させて前記イメージセンサに導くミラーと、
前記ミラーを前記光源走行体の走行に同期させて移動させるミラー走行体と、
前記光源およびミラー走行体を走行させる駆動モータとが備えられ、
前記配設部材は、前記駆動モータの駆動軸であることを特徴とする請求項２記載の画像読取装置。
【請求項４】
請求項１乃至３のいずれかに記載の画像読取装置により読み取った原稿画像の画像情報に基づき所定の画像形成処理を施すことを特徴とする画像形成装置。
【発明の詳細な説明】
【技術分野】
【０００１】
本発明は、筐体に内装された光源から原稿の原稿面に照射される光の反射光により原稿画像を光学的に読み取る画像読取装置およびこの画像読取装置が適用された画像形成装置に関するものである。
【背景技術】
【０００２】
従来特許文献１に記載されているような原稿の原稿面に形成された原稿画像を読み取る画像読取装置が知られている。この画像読取装置は、筐体内に走査可能に配設された光源からの光の原稿面からの反射光を、複数のミラーおよびレンズを介してアナログ回路基板に設けられたイメージセンサ（特許文献１では固体撮像素子、以下ＣＣＤという）へ入光し、当該ＣＣＤで光による画像情報をアナログ信号に変換するとともに、このアナログ信号をフレキシブルケーブルを介して接続されたディジタル回路基板へ入力することによりディジタル信号に変換するようになされている。
【０００３】
ディジタル回路基板を、アナログ回路基板に直接並設しないで、フレキシブルケーブルを介してアナログ回路基板に接続することにより、イメージセンサユニットが嵩高いディジタル回路基板により全体的に嵩高くなることが回避されるとともに、ディジタル回路基板の設置位置や設置姿勢を装置のコンパクト化を阻害しない状態で配設することが可能になり、設計上の自由度を向上させることが可能になって画像読取装置のコンパクト化に貢献する。
【特許文献１】特開平１１−２７４４２号公報
【発明の開示】
【発明が解決しようとする課題】
【０００４】
ところで、通常、画像読取装置の筐体内には、原稿画像の走査のために光源やミラーを走行させるための駆動モータや駆動力伝達手段を備えた駆動機構が設けられている。かかる駆動機構の内の特に駆動モータについては、筐体内で光源やミラーの走行路と干渉しないようにするため設置位置が制約され、結果としてイメージセンサユニットにおけるアナログ回路基板の裏側（前記走行路と反対側）に配設されるのが一般的である。
【０００５】
かかる観点で特許文献１に記載の画像読取装置を見た場合、アナログ回路基板の直裏側に存在するフレキシブルケーブルの近傍に駆動モータに係る部材（例えば駆動軸）が必然的に配設されることになる。
【０００６】
そして、例えば駆動軸がフレキシブルケーブルの近傍に配設されているような場合、当該駆動軸がフレキシブルケーブルと接触すると、フレキシブルケーブルが損傷したり、アナログ信号にノイズが加わったりするという不都合が生じる。
【０００７】
また、通常、フレキシブルケーブルの上方には、埃の堆積を防止するためや放射ノイズを防止するべくカバーが設けられるが、このカバーが金属製である場合、フレキシブルケーブルがこの金属製のカバーと接触したときにもノイズが発生する。
【０００８】
本発明は、従来のかかる不都合を解消するべくなされたものであって、アナログ回路基板とディジタル回路基板との間に介設されたフレキシブルケーブルにおけるノイズの発生を有効に防止することができる画像読取装置およびこの画像読取装置が適用された画像形成装置を提供することを目的としている。
【課題を解決するための手段】
【０００９】
請求項１記載の発明は、所定の筐体に内装された光源から原稿の原稿面に照射される光の反射光により原稿画像を光学的に読み取る画像読取装置であって、前記筐体には、所定のレンズを介して集光された反射光が入光されることにより当該反射光を電気的なアナログ信号に変換するイメージセンサを備えたアナログ回路基板と、前記アナログ信号をディジタル信号に変換する回路を備えたディジタル回路基板と、前記アナログ回路基板と前記ディジタル回路基板との間に介設された両者を電気的に接続する電線と、前記電線の他の部材に対する接触を防止する接触防止部材とが備えられていることを特徴とするものである。
【００１０】
かかる構成によれば、原稿の原稿画像は、光源から照射される光の原稿面からの反射光がアナログ回路基板のイメージセンサに入光されることにより、当該イメージセンサは、原稿画像に応じた反射光をアナログ信号に変換する。そして、このアナログ信号は、電線を介してディジタル回路基板に入力されることにより当該ディジタル回路基板でディジタル信号に変換されて原稿画像の読み取り処理が完了する。このディジタル信号として読み取られた画像情報は、画像形成装置やコンピュータ等で画像形成処理のために使用される。
【００１１】
そして、画像読取装置には、電線の他の部材に対する接触を防止する接触防止部材が備えられているため、電線が他の部材に接触することで当該電線により伝送される信号にノイズが発生するような不都合の発生が有効に防止される。
【００１２】
請求項２記載の発明は、請求項１記載の発明において、前記接触防止部材は、前記電線を支持した状態で当該電線の下部に配設された配設部材を跨ぐブリッジ部材と、前記ブリッジ部材の頂部に形成された前記電線を外れ止めする、前記頂部に対し開閉可能な外れ止め部材と、前記外れ止め部材から前記電線の延びる方向に沿うように互いに反対方向へ向けて突設された一対のウイングとを備えていることを特徴とするものである。
【００１３】
かかる構成によれば、電線の下部に配設された配設部材をブリッジ部材に跨がせた状態で、外れ止め部材を開いて当該電線をブリッジ部材の頂部で支持し、その後に外れ止め部材を閉じて当該外れ止め部材で外れ止めすることにより、電線は、その下面がブリッジ部材の頂部に支持されるとともに、その上面が外れ止め部材から互いに反対方向に向けて突設された一対のウイングにより覆われた状態になる。
【００１４】
このように、配設部材を跨いだブリッジ部材に電線を支持させることにより、電線は、その下面がブリッジ部材により保護されるとともに、その上面が当該電線を覆った一対のウイングにより保護されるため、結局電線は、その下部の配設部材や、上部に存在する、例えばカバー等の部材から電気的に保護され、これによってノイズの発生が有効に防止される。
【００１５】
請求項３記載の発明は、請求項２記載の発明において、前記筐体には、前記光源を移動させることにより前記原稿面を走査する光源走行体と、前記反射光を反射させて前記イメージセンサに導くミラーと、前記ミラーを前記光源走行体の走行に同期させて移動させるミラー走行体と、前記光源およびミラー走行体を走行させる駆動モータとが備えられ、前記配設部材は、前記駆動モータの駆動軸であることを特徴とするものである。
【００１６】
かかる構成によれば、筐体内に設けられた駆動モータの駆動による光源走行体の走行によって光源から照射された光は、原稿の原稿面を走査し、この走査に供された光の反射光が光源走行体と同期して走行するミラー走行体のミラーによって適正に反射されてイメージセンサに入光され、イメージセンサは、この入光された反射光をアナログ信号に変換する。
【００１７】
このように筐体内には、イメージセンサが設けられている空間の片側に光源走行体やミラー走行体を走行させるとともに、反射光の光路のための空間を確保する必要があることから、駆動モータの駆動軸を設ける空間として必然的にイメージセンサを備えたアナログ回路基板と、このアナログ回路基板に並設されたディジタル回路基板との間の空間が採用されることになる。従って、アナログ回路基板とディジタル回路基板との間に介設される電線は、駆動軸の上部を通ることになるが、駆動軸を跨いだブリッジ部材により保護されるため、駆動軸が電線に影響を及ぼすことが確実に防止され、これによって駆動軸に起因した電線でのノイズの発生が有効に防止される。
【００１８】
請求項４記載の発明は、請求項１乃至３のいずれかに記載の画像読取装置により読み取った原稿画像の画像情報に基づき所定の画像形成処理を施すことを特徴とする画像形成装置である。
【００１９】
かかる構成によれば、画像形成装置は、請求項１乃至３のいずれかに記載の画像読取装置の作用効果を享受し得るものになる。
【発明の効果】
【００２０】
請求項１記載の発明によれば、画像読取装置には、電線の他の部材に対する接触を防止する接触防止部材が備えられているため、電線が他の部材に接触することで当該電線により伝送される信号にノイズが発生するような不都合の発生を有効に防止することができる。
【００２１】
請求項２記載の発明によれば、配設部材を跨いだブリッジ部材に電線を支持させることにより、電線は、その下部がブリッジ部材により保護されるとともに、その上部が当該電線を覆った一対のウイングにより保護されるため、これらの保護で電線にノイズが発生することを有効に防止することができる。
【００２２】
請求項３記載の発明によれば、アナログ回路基板とディジタル回路基板との間に介設される電線は、筐体内に配設される各種部材のロケーションにより必然的に駆動軸の上部を通ることになるが、駆動軸を跨いだブリッジ部材により保護されるため、駆動軸に起因した電線でのノイズの発生を有効に防止することができる。
【００２３】
請求項４記載の発明によれば、画像形成装置を、請求項１乃至３のいずれかに記載の画像読取装置の作用効果を享受し得るものにすることができる。
【発明を実施するための最良の形態】
【００２４】
まず、本発明に係る画像読取装置が適用された画像形成装置について説明する。図１は、本発明に係る画像読取装置が適用された画像形成装置の一実施形態の概要を示す説明図である。なお、図１においてＹ−Ｙ方向を前後方向といい、特に−Ｙ方向を前方、＋Ｙ方向を後方という。
【００２５】
図１に示すように、画像形成装置１０は、複写機として使用されるものである。かかる画像形成装置１０は、胴内排紙型と称される箱形を呈した装置本体１１と、この装置本体１１の上部に設けられた、原稿画像を読み取る本発明に係る画像読取部１６とを備えた基本構成を有している。本発明に係る画像読取装置（光学系ユニット２０）は、画像読取部１６内に装着されている。
【００２６】
前記装置本体１１には、画像読取部１６の光学系ユニット２０によって読み取られた原稿の画像情報に基づき画像を形成する画像形成部１２と、この画像形成部１２によって形成され、用紙に転写された画像に定着処理を施す定着部１３と、転写用の用紙を貯留する用紙貯留部１４とが内装されている。装置本体１１の頂部には、排出された定着処理後の用紙Ｐを受ける胴内排紙トレイ１５１を備えた排紙部１５が設けられている。
【００２７】
前記画像読取部１６は、上面にコンタクトガラス３１を備えた光学系ユニット２０を内装する外装カバー１６０を有し、この外装カバー１６０には、コンタクトガラス３１上に載置された原稿を押さえるための原稿マット１６１が開閉自在に設けられている。かかる原稿マット１６１は、外装カバー１６０の上面後方位置（オペレータが操作する位置から見て奥側）に一対で設けられた蝶板部材１６２（図２）の蝶板軸回りに正逆回動可能とされ、コンタクトガラス３１の上面を閉止した閉止姿勢Ｔ１と、コンタクトガラス３１の上面を開放した開放姿勢Ｔ２との間で姿勢変更可能とされている。
【００２８】
前記光学系ユニット２０は、コンタクトガラス３１上に載置された原稿が原稿マット１６１によって押さえられた状態で、下方からコンタクトガラス３１を介して原稿画像を読み取るようになっている。画像読取部１６で読み取られた原稿の画像情報は、所定の処理が施された上で画像形成部１２へ向けて出力される。
【００２９】
前記外装カバー１６０の適所には、原稿読み取りや複写処理等に関する処理条件を入力操作するための図略の操作パネル１７が設けられているとともに、この操作パネル１７に隣接して出力手段としてのＬＣＤ（Ｌｉｑｕｉｄ  ｃｒｙｓｔａｌ  ｄｉｓｐｌａｙ）１８が設けられている。前記操作パネル１７には、商用電源からの電力の供給をオン・オフする電源スイッチ１７１、原稿の読み取り動作を開始させるスタートキー１７２、一旦設定した原稿の読み取り動作をキャンセルするキャンセルキー１７３、用紙Ｐへの転写枚数などを入力するためのテンキー１７４等が設けられ、これらのスイッチやキーの操作で画像形成処理が実行される。前記ＬＣＤ１８には、画像形成処理に関する各種のコメントや制御結果等が表示出力される。
【００３０】
前記画像形成部１２は、用紙貯留部１４から給紙された用紙にトナー画像を形成させるものである。かかる画像形成部１２は、本実施形態では、上流側（図１の右側）から下流側へ向けて順次配設されたマゼンタ用ユニット１２Ｍと、シアン用ユニット１２Ｃと、イエロー用ユニット１２Ｙと、ブラック用ユニット１２Ｋとを有している。
【００３１】
各ユニット１２Ｍ，１２Ｃ，１２Ｙ，１２Ｋには、感光体ドラム１２１および現像装置１２２がそれぞれ備えられている。各感光体ドラム１２１は、図１において反時計方向へ向けて回転しつつ対応した現像装置１２２からトナーの供給を受けるようになっている。各現像装置１２２には、装置本体１１の前面側（図１の紙面の表側）に配設された図略のトナーカートリッジからトナーが補給されるようになっている。
【００３２】
各感光体ドラム１２１の直下位置には帯電器１２３がそれぞれ設けられているとともに、各帯電器１２３のさらに下方位置には露光装置１２４が設けられている。そして、各感光体ドラム１２１は、前記帯電器１２３によって周面が一様に帯電され、画像読取部１６で読み取られた画像データに基づく各色に対応したレーザー光が前記各露光装置１２４から帯電後の感光体ドラム１２１の周面に照射されることにより、各感光体ドラム１２１の周面に静電潜像が形成されるようになっている。かかる静電潜像に現像装置１２２からトナーが供給されることにより、感光体ドラム１２１の周面にトナー像が形成される。
【００３３】
感光体ドラム１２１の上方位置には、当該各感光体ドラム１２１に当接するように駆動ローラ１２５ａおよび従動ローラ１２５ｂ間に張設された転写ベルト１２５が設けられている。この転写ベルト１２５は、各感光体ドラム１２１に対応して設けられた転写ローラ１２５ｃによって感光体ドラム１２１の周面に押し付けられた状態で各感光体ドラム１２１と同期しながら駆動ローラと従動ローラとの間を周回するようになっている。
【００３４】
従って、転写ベルト１２５が周回することによりその表面に対しマゼンタ用ユニット１２Ｍの感光体ドラム１２１によるマゼンタのトナー像の転写が行なわれ、ついで転写ベルト１２５の同一位置にシアン用ユニット１２Ｃの感光体ドラム１２１によるシアンのトナー像の転写が重ね塗り状態で行なわれ、ついで転写ベルト１２５の同一位置にイエロー用ユニット１２Ｙの感光体ドラム１２１によるイエローのトナー像の転写が重ね塗り状態で行なわれ、最後のブラック用ユニット１２Ｋの感光体ドラム１２１によるブラックのトナー像の転写が重ね塗り状態で行なわれ、これによって転写ベルト１２５の表面にカラ画像像が形成される。このカラ画像が用紙貯留部１４から搬送されてきた用紙Ｐに転写されることになる。
【００３５】
そして、各感光体ドラム１２１の左方位置には当該感光体ドラム１２１の周面の残留トナーを除去して清浄化するクリーニング装置１２６が設けられている。クリーニング装置１２６によって清浄化処理された感光体ドラム１２１の周面は、新たな帯電処理のために帯電器１２３へ向かうことになる。
【００３６】
クリーニング装置１２６で感光体ドラム１２１の周面から取り除かれた廃トナーは、所定の経路を通って図略のトナー回収ボトルに回収され、貯留されるようになっている。
【００３７】
画像形成部１２の左方位置には、上下方向に延びる用紙搬送路１１１が形成されている。この用紙搬送路１１１の適所には搬送ローラ対１１２が設けられている。そして、用紙貯留部１４からの用紙がこの搬送ローラ対１１２の駆動で駆動ローラ１２５ａに掛け回されている転写ベルト１２５へ向けて搬送されるようになっている。
【００３８】
かかる用紙搬送路１１１には、駆動ローラ１２５ａと対向した位置に転写ベルト１２５の表面と当接した第２転写ローラ１１３が設けられ、用紙搬送路１１１を搬送されつつある用紙Ｐが転写ベルト１２５と第２転写ローラ１１３とに押圧挟持されることによって転写ベルト１２５上のトナー像が当該用紙Ｐに転写されるようになっている。
【００３９】
そして、転写ベルト１２５の右端部には、当該転写ベルト１２５の表面に残留した残留トナーを除去する転写ベルト用クリーニング装置１２７が設けられ、用紙Ｐへの転写処理が完了した転写ベルト１２５は、表面の残留トナーがこの転写ベルト用クリーニング装置１２７によって取り除かれ清浄化された状態で次の転写処理へ向けて周回されるようになっている。
【００４０】
前記定着部１３は、画像形成部１２で転写された用紙上のトナー像に対し定着処理を施すものであり、内部に加熱源であるハロゲンランプ等の通電発熱体を備えた定着ローラ１３１と、左方でこの定着ローラ１３１と対向配置された加圧ローラ１３２とを備えている。そして、第２転写ローラ１１３を介して画像形成部１２から導出された転写処理済の用紙Ｐは、これら定着ローラ１３１および加圧ローラ１３２間に押圧挟持されつつ定着ローラ１３１により加熱される熱処理でトナー画像が用紙Ｐへ定着され、用紙上に安定した状態のカラー画像が形成されるようになっている。
【００４１】
定着処理の完了したカラー印刷済みの用紙Ｐは、定着部１３の上部から延設された排紙搬送路１１４を通って装置本体１１に設けられた胴内排紙トレイ１５１へ向けて排出されることになる。
【００４２】
前記用紙貯留部１４は、装置本体１１における露光装置１２４の下方位置に挿脱自在に装着された用紙トレイ１４１を有している。用紙トレイ１４１には用紙束が貯留されるようになっている。そして、用紙トレイ１４１に貯留された用紙束からピックアップローラ１４２の駆動で用紙Ｐが１枚ずつ繰り出され、用紙搬送路１１１を通って第２転写ローラ１１３と転写ベルト１２５との間のニップ部へ向かわせられるようになっている。
【００４３】
図２は、本発明に係る光学系ユニット（画像読取装置）２０の一実施形態を示す一部切欠き斜視図である。また、図３は、図２に示す光学系ユニット２０の正面断面視の説明図であり、図４は、図２に示す光学系ユニット２０の平面視の説明図である。なお、図２〜図４においてＸ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００４４】
以下、図２〜図４並びに必要に応じて図１を参照しながら本発明に係る光学系ユニット（画像読取装置）２０について説明する。
【００４５】
図２〜図４に示すように、前記光学系ユニット２０は、箱形を呈した筐体３０と、この筐体３０に左右方向へ向けて正逆移動可能に内装され、かつ、原稿面に光を照射してその反射光を得る読取ユニット４０と、この読取ユニット４０からの反射光を集光して画像データとして取り込むレンズ・センサユニット５０と、このレンズ・センサユニット５０の後述するアナログ回路基板５２０にフレキシブルケーブル（電線）５９を介して電気的に接続されるディジタル回路基板６０と、前記フレキシブルケーブル５９の他の部材に対する接触を防止する接触防止部材７０とを備えている。
【００４６】
前記筐体３０は、画像読取部１６の外装カバー１６０に収納され得るように外観形状が直方体状に形成されている。かかる筐体３０の上面中央部には、矩形状を呈した大きな開口が設けられ、この開口に原稿を載置するためのコンタクトガラス３１が嵌め込まれている。このコンタクトガラス３１は、光学系ユニット２０が画像読取部１６内に装着された状態で画像読取部１６の外装カバー１６０の上面に設けられた開口に臨むように設置位置が設定されている。
【００４７】
前記読取ユニット４０は、図３に示すように、筐体３０の左端部から若干右方に寄った位置（ホームポジション）を起点として右方に向けて往動することによりコンタクトガラス３１上に載置された原稿の原稿面を走査した後に復動してホームポジションに戻るように構成されている。
【００４８】
このような読取ユニット４０は、原稿面に向けて光を照射する光源ユニット４１と、この光源ユニット４１からの光の原稿面での反射光を光路に沿うように反射させてレンズ・センサユニット５０へ導くミラーユニット４２とを備えている。
【００４９】
前記光源ユニット４１は、図３における左右方向に向けて正逆走行する正面視で左右方向に長尺の第１走査枠体（光源走行体）４１１と、この第１走査枠体４１１に支持された、当該第１走査枠体４１１の走行方向と直交する前後方向（図３の紙面に直交する方向）に向けて長尺の光源部材４１２と、この光源部材４１２から照射された光の原稿画面からの反射光を左方に向けて反射させる第１ミラー４１３とを備えている。
【００５０】
前記光源部材４１２は、所定のフレームに発光ダイオード（ＬＥＤ（ｌｉｇｈｔ  ｅｍｉｔｔｉｎｇ  ｄｉｏｄｅ））からなる単位ＬＥＤ（光源）４１２ａの複数個が並設されることによって形成されている（図４参照）。かかる複数の単位ＬＥＤ４１２ａが一斉に発光されることにより各単位ＬＥＤ４１２ａから照射された光がコンタクトガラス３１を介して原稿Ｐ１の原稿面で反射されるようになされている。そして、原稿Ｐ１の原稿面で反射された光源部材４１２からの反射光は、第１ミラー４１３によって左方へ向けて反射される。
【００５１】
前記ミラーユニット４２は、光源ユニット４１の左方に設けられ、左右方向に向けて正逆走行する第２走行枠体（ミラー走行体）４２１と、この第２走行枠体４２１に支持された第２ミラー４２２および第３ミラー４２３とを備えている。前記第２走行枠体４２１は、図３に示すように、正面視で縦長に形成され、上端位置が光源ユニット４１の上端位置と略同一レベルに設定されている一方、下端位置が光源ユニット４１の下端位置より下方に突出している。
【００５２】
前記第２ミラー４２２は、前記第１ミラー４１３が反射した光を下方に向けて反射する。また、前記第３ミラー４２３は、第２ミラー４２２の下方で第２ミラー４２２と対向配置され、当該第２ミラー４２２が反射した光を右方に向けて反射する。第２ミラー４２２からの反射光によって姿勢調整手段６０へ向かう光路Ｌが形成されている。
【００５３】
そして、第３ミラー４２３が反射した光は、レンズ・センサユニット５０に入力され、ここで光の信号が電気信号に変換された上で電気信号のアナログ量が画像情報としてのディジタル量に変換される。
【００５４】
前記光源ユニット４１とミラーユニット４２とは、駆動モータ８０の駆動により図略のプーリー間に張設された走行ワイヤの周回によって互いに連係しながら異なる移動速度（具体的には、光源ユニット４１の移動速度は、ミラーユニット４２の移動速度の２倍に設定されている。）で移動するようになされている。
【００５５】
そして、光源ユニット４１は、ミラーユニット４２の２倍の速度で移動することにより、光源ユニット４１および読取ユニット４０が図３に実線で示すホームポジションに位置している状態でも、図３に二点鎖線で示す任意の位置に移動した状態でも、第１ミラー４１３から第２ミラー４２２および第３ミラー４２３を介してレンズ・センサユニット５０へ到達する光路の距離は一定とされ、これによって読取ユニット４０がいずれの位置に位置した状態でも原稿面からの反射光が同一条件でレンズ・センサユニット５０へ入力される。
【００５６】
前記レンズ・センサユニット５０は、レンズ５１２を備えたレンズユニット５１と、このレンズユニット５１の図１における右方位置に対向配置されたイメージセンサとしてのＣＣＤ（ｃｈａｒｇｅ  ｃｏｕｐｌｅｄ  ｄｅｖｉｃｅ）５２１ａを有するアナログ回路基板５２０を備えたイメージセンサユニット５２と、このイメージセンサユニット５２および前記フレキシブルケーブル５９を覆うカバー５８とを備えている。
【００５７】
前記レンズユニット５１は、光源部材４１２からの光の反射光を集光してＣＣＤ（イメージセンサ）５２１ａに結像させるためのものであり、前記イメージセンサユニット５２は、ＣＣＤ５２１に結像された光の強弱をディジタル量としての電気信号に変換するためのものである。
【００５８】
そして、アナログ回路基板５２０のＣＣＤ５２１でディジタル量に変換された原稿の画像情報は、一旦所定の記憶装置に記憶された後、前記画像形成部１２の露光装置１２４へ向けて出力され、露光装置１２４は、このディジタル情報に基づき感光体ドラム１２１へ向けて原稿画像に対応した強弱を有する光を照射するようになっている。
【００５９】
そして、前記光源部材４１２において複数が並設された単位ＬＥＤ４１２ａの内の１つが、コンタクトガラス３１上に原稿Ｐ１が存在するか否かを検出するための原稿存否検出用ＬＥＤ４１２ｂ（図４）とされている。この原稿存否検出用ＬＥＤ４１２ｂは、電源スイッチ１７１がオンされた状態で常時点灯するようになされている。
【００６０】
従って、コンタクトガラス３１上に原稿Ｐ１が存在するか否かは、原稿存否検出用ＬＥＤ４１２ｂが照射する光の反射光がＣＣＤ５２１に入力され、ＣＣＤ５２１が変換したこの反射光の強さが図略の制御手段によって判別されることにより検出される。
【００６１】
以下、図５を基に、必要に応じて図１〜図４を参照しながらレンズ・センサユニット５０について説明する。図５は、レンズ・センサユニット５０の一実施形態を示す斜視図であり、レンズ・センサユニット５０が光学系ユニット２０の筐体３０の底板３２に装着された状態を示している。なお、図５においてＸおよびＹによる方向表示は、図２の場合と同様（Ｘは左右方向（−Ｘ：左方、＋Ｘ：右方）、Ｙは前後方向（−Ｙ：前方、＋Ｙ：後方））である。
【００６２】
まず、図５に示すように、レンズ・センサユニット５０は、筐体３０の底板３２上の右方位置における前後方向の中央部に装着された保持体５３を有し、前記レンズユニット５１およびイメージセンサユニット５２は、この保持体５３に保持されている。
【００６３】
保持体５３は、筐体３０の底板３２に装着される平面視で矩形状を呈した基礎プレート５４と、この基礎プレート５４の左半分の位置に装着された、前記レンズユニット５１を支持するためのレンズユニット支持板５５と、同右半分の位置に装着された、前記イメージセンサユニット５２を支持するためのセンサユニット支持板５６とを備えている。
【００６４】
前記レンズユニット５１は、円筒状のレンズ筒５１１と、このレンズ筒５１１に装着されたレンズ５１２とを備えている。前記レンズユニット支持板５５は、その上面にレンズ筒５１１を左右方向に延びた状態で支持している。かかるレンズユニット支持板５５は、基礎プレート５４上でレンズユニット５１の横方向の振れが光路Ｌを基準として修正される。
【００６５】
前記イメージセンサユニット５２は、左端面が前記レンズ筒５１１の右端面に接続された箱状のケーシング５２２を有している。一方、前記センサユニット支持板５６は、ケーシング５２２が支持される水平板５６１と、この水平板５６１の右縁部から立設された垂直板５６２とを備えている。垂直板５６２は、前記ケーシング５２２の図略の右面開口を覆い得るように寸法設定されているとともに、レンズ５１２を介してケーシング５２２内に導かれた反射光を通過させるための図略の開口が設けられている。このような垂直板５６２の右側に当該垂直板５６２の開口を覆う状態でアナログ回路基板５２０が配設されている。
【００６６】
前記基礎プレート５４は、平板状のプレート本体５４１と、このプレート本体５４１の左縁部が下方に向けて折り曲げられることによって形成した前後方向に延びる第１縁条５４２と、プレート本体５４１の前後の縁部が下方に向けて折り曲げられることによって形成した左右方向に延びる前後方向一対の第２縁条５４３と、各第２縁条５４３の下縁部から互いに反対方向に向けて延設された左右方向に延びる前後方向一対の装着板５４４とを備えている。
【００６７】
前記第１縁条５４２の下縁面と、前記一対の装着板５４４の下面とは、略面一になるように設定されている。前記基礎プレート５４は、かかる第１縁条５４２および第２縁条５４３並びに装着板５４４がプレート本体５４１に形成されることにより、強度的に丈夫になる。
【００６８】
そして、本実施形態においては、保持体５３の底板３２に対する支持状態を確実なものとするために、付勢部材５７が採用されている。この付勢部材５７は、図５に示すように、板状のバネ材が端面視でＺ字状に折り曲げられることによって形成されている。かかる付勢部材５７は、水平方向に延びる基部５７１と、この基部５７１の一方の側縁部から垂直に立設された垂直部５７２と、この垂直部５７２の上縁部から基部５７１と平行に反対方向に向けて延設された係止部５７３とを備えている。
【００６９】
そして、保持体５３がその姿勢を調整する図略の調整部材を介して筐体３０の底板３２に装着された状態で、付勢部材５７が、図５に示すように、保持体５３を三方から（具体的には、プレート本体５４１の左縁部と、前方の装着板５４４と、後方の装着板５４４とから）囲むように底板３２にネジ止めで固定されている。
【００７０】
これによってプレート本体５４１および一対の装着板５４４は、それぞれ付勢部材５７の係止部５７３によって係止された状態になっている。従って、前記調整部材の調整操作で保持体５３の左縁部および前後の縁部が上昇すると、付勢部材５７の係止部５７３が弾性変形してこれらの縁部を下方に向けて押圧するため、保持体５３の調整部材を介した底板３２への装着状態は安定したものになる。
【００７１】
図６は、レンズ・センサユニット５０、ディジタル回路基板６０および接触防止部材７０を右面側から見た斜視図である。なお、図６におけるＸおよびＹによる方向表示は、図２の場合と同様（Ｘは左右方向（−Ｘ：左方、＋Ｘ：右方）、Ｙは前後方向（−Ｙ：前方、＋Ｙ：後方））である。因みに、図６においては、ＸおよびＹによる左右は紙面の左右とは逆になっている。
【００７２】
前記ディジタル回路基板６０は、前記アナログ回路基板５２０のＣＣＤ５２１からフレキシブルケーブル５９を介して伝送された原稿画像についてのアナログ信号をディジタル信号に変換するものである。ディジタル回路基板６０でアナログ信号が変換されることにより得られたディジタル信号は、前記露光装置１２４（図１）へ向けて出力される。
【００７３】
かかるディジタル回路基板６０は、図６に示すように、平面視で前後方向に長尺の矩形状を呈し、底板３２の右端部から段差板３２２を介して１段下がった下位底板３２１上に平置き状態で装着されている。
【００７４】
そして、ディジタル回路基板６０の上面左側部には、前後方向一対のコネクタ６１が設けられているとともに、前記アナログ回路基板５２０にもその右面上部に前後方向一対のコネクタ５２３が設けられている。
【００７５】
一方、前記フレキシブルケーブル５９には、その両端部に前記各コネクタ６１，５２３に対応したコネクタ５９１がそれぞれ設けられ、一方のコネクタ５９１をアナログ回路基板５２０のコネクタ５２３に接続させるとともに、他方のコネクタ５９１をディジタル回路基板６０のコネクタ６１に接続させることによってアナログ回路基板５２０とディジタル回路基板６０とが互いに電気的に接続される。
【００７６】
そして、筐体３０の下位底板３２１上におけるディジタル回路基板６０と段差板３２２との間には、前記駆動モータ８０の駆動軸８１を配設するための駆動軸配設空間Ｖが形成されている。このような駆動軸配設空間Ｖが形成されるのは、筐体３０内における光学系ユニット２０の左方位置は、光源ユニット４１およびミラーユニット４２（図３）が移動するとともに、原稿画像を走査した反射光の光路Ｌ（図３）が設定されており、光学系ユニット２０内の左方位置に駆動軸８１を配設することができないためである。
【００７７】
そして、本実施形態においては、前記駆動軸配設空間Ｖに接触防止部材７０が配設され、前記フレキシブルケーブル５９をこの接触防止部材７０で支持することにより、当該フレキシブルケーブル５９が駆動軸８１および前記カバー５８の影響を受けない（具体的にはフレキシブルケーブル５９が駆動軸８１やカバー５８に直接接触しない）ようにしている。これによって、フレキシブルケーブル５９でのノイズの発生が抑制される。
【００７８】
図７および図８は、接触防止部材７０の一実施形態を示す斜視図であり、図７は、ウイング７３が開放姿勢に姿勢設定された状態（但し、円内はＣ線視の図）、図８は、ウイング７３が被覆姿勢に姿勢設定された状態をそれぞれ示している。なお、図７および図８におけるＸおよびＹによる方向表示は、図２の場合と同様（Ｘは左右方向（−Ｘ：左方、＋Ｘ：右方）、Ｙは前後方向（−Ｙ：前方、＋Ｙ：後方））である。
【００７９】
接触防止部材７０は、ポリエチレン、ポリプロピレン、ポリアミドあるいはポリビニルクロライド等の熱可塑性合成樹脂を原料として射出成型法によって製造されている。
【００８０】
かかる接触防止部材７０は、図７および図８に示すように、正面視で上に凸の円弧状を呈した鞍状のブリッジ部材７１と、このブリッジ部材７１の頂部に設けられた上下方向に延びる垂直姿勢と前後方向に延びる水平姿勢との間で姿勢変更可能な架設片（外れ止め部材）７２と、この架設片７２の左右の側面から互いに反対方向に向けて突設された左右方向一対のウイング７３とを備えている。
【００８１】
前記ブリッジ部材７１は、前記駆動軸８１を跨いだ状態で筐体３０の下位底板３２１に載置されるものである。かかるブリッジ部材７１は、正面視で逆Ｕ字状のブリッジ本体７１１と、このブリッジ本体７１１の右側の下縁部から右方に向かって突設された平面視で矩形状の装着板７１２と、前記ブリッジ本体７１１の前後の縁部並びに前記装着板７１２の縁部からこれらの全長に亘って所定の突出量で外方（装着板７１２の場合は上方）に向けて突設された縁取り突条７１３と、ブリッジ本体７１１側の前方の縁取り突条７１３の頂部から上方に向けて突設された係止突起７１４と、後方側の縁取り突条７１３における前記係止突起７１４と対向した位置から上方に向けて突設された架設片支持突起７１５とを備えている。
【００８２】
前記ブリッジ本体７１１および装着板７１２は、縁取り突条７１３が設けられることにより構造的に丈夫になり、特にブリッジ本体７１１と装着板７１２との連結位置で両者が互いに折れ曲がり難くされている。前記装着板７１２には、各種の装着片７１２ａや装着孔７１２ｂが設けられ、接触防止部材７０は、これらの装着片７１２ａや装着孔７１２ｂを介して外れ止め状態で下位底板３２１に装着される。
【００８３】
前記係止突起７１４は、前記架設片７２が水平姿勢に姿勢設定された状態で、当該架設片７２の先端側を係止するものである。この係止によって架設片７２の水平姿勢が維持される。かかる係止突起７１４は、ブリッジ本体７１１の前方の縁取り突条７１３の頂部から上方に向かって突設された突設板片７１４ａと、この突設板片７１４ａの後面から後方へ向かって突設された左右一対の係止突片７１４ｂとを備えている。
【００８４】
前記各係止突片７１４ｂは、図７の円内に示すように、後面側から見て（すなわちＣ線視で）下方が開放した「コ」字状に形成され、「コ」字の平行な横棒（図７では縦棒）間に係止凹部７１４ｃがそれぞれ形成されている。この係止凹部７１４ｃに水平姿勢に姿勢設定された前記架設片７２の先端が嵌め込まれる。
【００８５】
前記架設片支持突起７１５は、前記架設片７２を回動自在に支持するものである。この架設片支持突起７１５の先端部と架設片７２の基端部との間には、肉薄に設定された両者と一体の肉薄部７１５ａが形成されている。垂直姿勢に姿勢設定された架設片７２は、当該架設片７２を肉薄部７１５ａ回りに図７における反時計方向に向けて押圧することにより、肉薄部７１５ａの弾性変形によって、図８に示すように、水平姿勢に姿勢変更する。
【００８６】
前記架設片７２は、架設片支持突起７１５の先端から肉薄部７１５ａを介して真っ直ぐに延びる底板片７２１と、この底板片７２１の左右の縁部から所定幅寸法で肉薄部７１５ａ回りに時計方向へ向けて突設された底板片７２１より若干長尺の一対の側板片７２２とを備えている。各側板片７２２の先端側における底板片７２１から外れた部分には、若干狭幅に設定された被係止部７２２ａがそれぞれ設けられている。これらの被係止部７２２ａは、互いに接近する方向に向けて弾性変形し得るようになっている。
【００８７】
架設片７２の動作は以下のとおりである。まず、図７に示すように、垂直姿勢に姿勢設定された状態で、一対の被係止部７２２ａの基端側を指で摘んで先端側を互いに接近させ、この状態で架設片７２を肉薄部７１５ａ回りに反時計方向に回動させる。引き続きこれら一対の被係止部７２２ａが前記係止突起７１４の一対の係止突片７１４ｂ間を通過するように回動させる。その後、各被係止部７２２ａを係止突片７１４ｂの係止凹部７１４ｃに嵌め込むことによって、被係止部７２２ａが係止突片７１４ｂに係止される。かかる動作を経て架設片７２は、図８に示すように、水平姿勢が維持された状態になる。
【００８８】
前記ウイング７３は、アナログ回路基板５２０とディジタル回路基板６０との間に介設され、かつ、ブリッジ本体７１１上に支持されたたフレキシブルケーブル５９の上面を覆うものである。かかるウイング７３として、架設片７２から左方に向けて（すなわち、アナログ回路基板５２０に向けて）突設された左ウイング７３ａと、架設片７２から右方に向けて（すなわち、ディジタル回路基板６０に向けて）突設された右ウイング７３ｂとが設けられている。
【００８９】
これら左右のウイング７３ａ，７３ｂは、いずれも右方へ向かって先下がりに傾斜されている。本実施形態においては、左ウイング７３ａの水平面に対する傾斜角度は、右ウイング７３ｂの同傾斜角度より大きく設定されている。
【００９０】
かかるウイング７３（左右のウイング７３ａ，７３ｂ）は、架設片７２の側板片７２２から突設された平板状のウイング本体７３１と、このウイング本体７３１の両側縁面に固定されたウイング本体７３１と同一長の一対の縁取り条７３２とを備えている。縁取り条７３２は、上下幅方向の中央部がウイング本体７３１の側縁面に固定され、これによって縁取り条７３２は、ウイング本体７３１の表裏から上方へ突出した状態になっている。ウイング７３は、かかる縁取り条７３２の存在で構造的に丈夫になっている。
【００９１】
接触防止部材７０は、以上のように構成されているため、フレキシブルケーブル５９を接触防止部材７０に支持させるに際しては、まず、図７に示すように、架設片７２を垂直姿勢に姿勢設定することで一対のウイング７３をそれぞれ開放姿勢にする。こうすることで、ブリッジ本体７１１の円弧状の上面が開放されるため、この状態でフレキシブルケーブル５９をブリッジ本体７１１に載せる。
【００９２】
引き続き、架設片７２を肉薄部７１５ａ回りに反時計方向回動させ、当該架設片７２の各被係止部７２２ａをブリッジ部材７１の係止突起７１４の係止突片７１４ｂに形成された係止凹部７１４ｃに下から嵌め込む。こうすることによって、架設片７２は、図８に示すように、水平姿勢が維持された状態になるとともに、一対のウイング７３（左右のウイング７３ａ，７３ｂ）は、開放姿勢から被覆姿勢に姿勢変更し、これによってブリッジ本体７１１に支持されたフレキシブルケーブル５９の上面を覆った状態になる。
【００９３】
以上詳述したように、本発明に係る光学系ユニット（画像読取装置）２０は、筐体３０に内装された光源ユニット４１の光源（本実施形態では複数の単位ＬＥＤ４１２ａからなる光源部材４１２）から原稿Ｐ１の原稿面に照射される光の反射光により原稿画像を光学的に読み取るものであり、筐体３０には、レンズ５１２を介して集光された反射光が入光されることにより当該反射光を電気的なアナログ信号に変換するＣＣＤ５２１を備えたアナログ回路基板５２０と、アナログ信号をディジタル信号に変換する回路を備えたディジタル回路基板６０と、アナログ回路基板５２０とディジタル回路基板６０との間に介設された両者を電気的に接続するフレキシブルケーブル５９と、フレキシブルケーブル５９の他の部材に対する接触を防止する接触防止部材７０とが備えられている。
【００９４】
かかる構成によれば、原稿Ｐ１の原稿画像は、単位ＬＥＤ４１２ａから照射される光の原稿面からの反射光がアナログ回路基板５２０のＣＣＤ５２１に入光されることにより、当該ＣＣＤ５２１は、原稿画像に応じた反射光をアナログ信号に変換する。そして、このアナログ信号は、フレキシブルケーブル５９を介してディジタル回路基板６０に入力されることにより当該ディジタル回路基板６０でディジタル信号に変換される。このディジタル信号として読み取られた画像情報は、画像形成装置やコンピュータ等で画像形成処理のために使用される。
【００９５】
そして、光学系ユニット２０には、フレキシブルケーブル５９の他の部材に対する接触を防止する接触防止部材７０が備えられているため、フレキシブルケーブル５９が他の部材（本実施形態においては、駆動軸８１およびカバー５８）に接触することで当該フレキシブルケーブル５９により伝送される信号にノイズが発生するような不都合の発生を有効に防止することができる。
【００９６】
このような接触防止部材７０は、フレキシブルケーブル５９を支持した状態で当該フレキシブルケーブル５９の下部に配設された配設部材を跨ぐブリッジ部材７１と、このブリッジ部材７１の頂部に形成されたフレキシブルケーブル５９を外れ止めする架設片７２と、架設片７２からフレキシブルケーブル５９の延びる方向に沿うように互いに反対方向へ向けて突設された一対のウイング７３（左右のウイング７３ａ，７３ｂ）とを備えているため、フレキシブルケーブル５９の下部に配設された配設部材をブリッジ部材７１に跨がせた状態で、当該フレキシブルケーブル５９をブリッジ部材７１の頂部で支持し、架設片７２で外れ止めすることにより、フレキシブルケーブル５９は、その上部が架設片７２から互いに反対方向に向けて突設された一対のウイング７３により覆われた状態になる。
【００９７】
このように、配設部材を跨いだブリッジ部材７１にフレキシブルケーブル５９を支持させることにより、フレキシブルケーブル５９は、その下部がブリッジ部材７１により保護されるとともに、その上部が当該フレキシブルケーブル５９を覆った一対のウイング７３により保護されるため、上下の保護でノイズの発生を有効に防止することができる。
【００９８】
また、筐体３０内には、ＣＣＤ５２１が設けられている部分の片側の空間に第１走査枠体４１１や第２走行枠体４２１を走行させるとともに、反射光の光路Ｌのための空間を確保する必要があることから、駆動モータ８０の駆動軸８１を設ける空間として必然的にＣＣＤ５２１を備えたアナログ回路基板５２０と、このアナログ回路基板５２０に並設されたディジタル回路基板６０との間の空間が採用されることになる。従って、アナログ回路基板５２０とディジタル回路基板６０との間に介設されるフレキシブルケーブル５９は、筐体３０内の各種部材のロケーションにより必然的に駆動軸８１の上部を通ることになるが、駆動軸８１を跨いだブリッジ部材７１により保護されるため、駆動軸８１に起因したフレキシブルケーブル５９でのノイズの発生を有効に防止することができる。
【００９９】
本発明は上記の実施形態に限定されるものではなく、以下の内容をも包含するものである。
【０１００】
（１）上記の実施形態においては、画像形成装置１０として複写機を例に挙げて説明したが、本発明は、画像形成装置１０が複写機であることに限定されるものではなく、ファクシミリ装置やスキャナ等、原稿画像を光学的に走査してアナログ信号を取得し、このアナログ信号をディジタル信号に変換する光学系ユニットを備えたものであればどのようなものであってもよい。
【０１０１】
（２）上記の実施形態においては、光源として単位ＬＥＤ４１２ａを複数並設したものが採用されているが、本発明は、光源が単位ＬＥＤ４１２ａからなるものであることに限定されるものではなく、放電管方式のものであってもよい。
【０１０２】
（３）上記の実施形態においては、フレキシブルケーブル５９として扁平なものが採用されているが、本発明は、フレキシブルケーブル５９が扁平なものであることに限定されるものではなく、断面視で円形やその他の形状のものであってもよい。
【０１０３】
（４）上記の実施形態においては、光源部材４１２として発光ダイオードからなる複数の単位ＬＥＤ４１２ａが採用されているが、本発明は、光源部材４１２が複数の単位ＬＥＤ４１２ａによって形成されることに限定されるものではなく、ハロゲンランプ等の他の種類の光源を採用してもよい。
【図面の簡単な説明】
【０１０４】
【図１】本発明に係る画像読取装置が適用された画像形成装置の一実施形態の概要を示す説明図である。
【図２】本発明に係る光学系ユニット（画像読取装置）の一実施形態を示す一部切欠き斜視図である。
【図３】図２に示す光学系ユニットの正面断面視の説明図である。
【図４】図２に示す光学系ユニットの平面視の説明図である。
【図５】レンズ・センサユニットの一実施形態を示す斜視図であり、レンズ・センサユニットが光学系ユニットの筐体の底板に装着された状態を示している。
【図６】レンズ・センサユニット、ディジタル回路基板および接触防止部材を右面側から見た斜視図である。
【図７】接触防止部材の一実施形態を示す斜視図であり、ウイングが開放姿勢に姿勢設定された状態（但し、円内はＣ線視の図）を示している。
【図８】接触防止部材の一実施形態を示す斜視図であり、ウイングが被覆姿勢に姿勢設定された状態を示している。
【符号の説明】
【０１０５】
１０  画像形成装置          １１  装置本体
１１１  用紙搬送路          １１２  搬送ローラ対
１１３  転写ローラ          １１４  排紙搬送路
１２  画像形成部            １２Ｍ  マゼンタ用ユニット
１２Ｃ  シアン用ユニット    １２Ｙ  イエロー用ユニット
１２Ｋ  ブラック用ユニット  １２１  感光体ドラム
１２２  現像装置            １２３  帯電器
１２４  露光装置            １２５  転写ベルト
１２５ａ  駆動ローラ        １２５ｂ  従動ローラ
１２５ｃ  転写ローラ        １２６  クリーニング装置
１２７  転写ベルト用クリーニング装置
１３  定着部                １３１  定着ローラ
１３２  加圧ローラ          １４  用紙貯留部
１４１  用紙トレイ          １４２  ピックアップローラ
１５  排紙部                １５１  胴内排紙トレイ
１６  画像読取部            １６０  外装カバー
１６１  原稿マット          １６２  蝶板部材
１７  操作パネル            １７１  電源スイッチ
１７２  スタートキー        １７３  キャンセルキー
１７４  テンキー            １８  ＬＣＤ
２０  光学系ユニット（画像読取装置）
３０  筐体                  ３１  コンタクトガラス
３２  底板                  ３２１  下位底板
３２２  段差板              ４０  読取ユニット
４１  光源ユニット          ４１１  第１走査枠体（光源走行体）
４１２  光源部材            ４１２ａ  単位ＬＥＤ（光源）
４１２ｂ  原稿存否検出用ＬＥＤ
４１３  第１ミラー          ４２  ミラーユニット
４２１  第２走行枠体（ミラー走行体）
４２２  第２ミラー          ４２３  第３ミラー
５０  センサユニット        ５１  レンズユニット
５１１  レンズ筒            ５１２  レンズ
５２  イメージセンサユニット
５２０  アナログ回路基板    ５２１  ＣＣＤ（イメージセンサ）
５２２  ケーシング          ５２３  コネクタ
５３  保持体                ５４  基礎プレート
５４１  プレート本体        ５４２  第１縁条
５４３  第２縁条            ５４４  装着板
５５  レンズユニット支持板  ５６  センサユニット支持板
５６１  水平板              ５６２  垂直板
５７  付勢部材              ５７１  基部
５７２  垂直部              ５７３  係止部
５８  カバー                ５９  フレキシブルケーブル（電線）
５９１  コネクタ            ６０  ディジタル回路基板
６１  コネクタ              ７０  接触防止部材
７１  ブリッジ部材          ７１１  ブリッジ本体
７１２  装着板              ７１２ａ  装着片
７１２ｂ  装着孔            ７１３  突条
７１４  係止突起            ７１４ａ  突設板片
７１４ｂ  係止突片          ７１４ｃ  係止凹部
７１５  架設片支持突起      ７１５ａ  肉薄部
７２  架設片（外れ止め部材）
７２１  底板片              ７２２  側板片
７２２ａ  被係止部          ７３  ウイング
７３ａ  左ウイング          ７３ｂ  右ウイング
７３１  ウイング本体        ７３２  縁取り条
８０  駆動モータ            ８１  駆動軸
Ｌ  光路                    Ｐ  用紙
Ｐ１  原稿                  Ｔ１  閉止姿勢
Ｔ２  開放姿勢              Ｖ  駆動軸配設空間
【図１】
2008092060.tif 000003
【図２】
2008092060.tif 000004
【図３】
2008092060.tif 000005
【図４】
2008092060.tif 000006
【図５】
2008092060.tif 000007
【図６】
2008092060.tif 000008
【図７】
2008092060.tif 000009
【図８】
2008092060.tif 000010